(57)【要約】      （修正有）【課題】折り畳まれた折畳シートがコンパクトであるにも拘わらず、取り出す際に摘む摘み部が摘み易く、折り畳む前の１枚のシートに戻し易いウエットシート収容体を提供する。【解決手段】ウエットシート収容体１００は、液剤が含浸されて折り畳まれた折畳シート１０を包装体２０内に密封してなる。折畳シート１０は、１枚のシート１からなり、シート１の一対の端縁どうしが重なるように中央位置にて折り返した折り返し端縁部と端縁どうしが重なる重なり端縁部とを有し、更に、折り返し端縁部及び重なり端縁部の間の折り返し端縁部に平行な第１折り返し部と折り返し端縁部に直交する方向の第２折り返し部とを備える。折畳シート１０は、平面視して、重なり端縁部が折り返し端縁部よりも外方に位置し、その平面視の面積が１枚のシート１の面積の１６．５％以下である。【選択図】図１
2014234219.tif 000002
【特許請求の範囲】
【請求項１】
液剤が含浸されて折り畳まれた折畳シートを、少なくとも１枚、包装体内に密封したウエットシート収容体であって、
前記折畳シートは、１枚の矩形形状のシートからなり、該シートにおける一方の一対の端縁どうしが重なるように該一対の端縁どうし間の略中央位置にて折り返した折り返し端縁部と、前記端縁どうしが重なる重なり端縁部とを有し、更に、少なくとも１つの該折り返し端縁部及び前記重なり端縁部の間の該折り返し端縁部に平行な第１折り返し部と、前記折り返し端縁部に直交する方向の第２折り返し部とを備えており、
前記折畳シートは、平面視して、前記重なり端縁部が前記折り返し端縁部よりも外方に位置しており、該折畳シートの平面視の面積が、前記１枚のシートの面積の１６．５％以下であるウエットシート収容体。
【請求項２】
液剤が含浸されて折り畳まれた折畳シートを、少なくとも１枚、包装体内に密封したウエットシート収容体であって、
前記折畳シートは、１枚の矩形形状のシートからなり、該シートにおける一方の一対の端縁どうしが重なるように該一対の端縁どうし間の略中央位置にて折り返して、折り返し端縁部及び前記端縁どうしが重なる重なり端縁部を有する矩形形状の２つ折りシートを形成し、更に、該折り返し端縁部を該２つ折りシートにおける該折り返し端縁部に平行に少なくとも１回折り返して第１折り返し部を形成し、その後、前記折り返し端縁部に直交する方向に折り返して第２折り返し部を形成してなり、
前記折畳シートは、平面視して、前記重なり端縁部が前記折り返し端縁部よりも外方に位置するように折り畳まれて、該折畳シートの平面視の面積が、前記１枚のシートの面積の１６．５％以下に形成されているウエットシート収容体。
【請求項３】
前記折畳シートは、前記折り返し端縁部を前記２つ折りシートにおける該折り返し端縁部に平行に延びる中央線よりも該折り返し端縁部寄りの位置にて、平行に折り返し、その後、前記折り返し端縁部に直交する方向に前記重なり端縁部が内側になるように折り返して形成されている請求項１又は２に記載のウエットシート収容体。
【請求項４】
前記折畳シートは、前記第１折り返し部が、前記折り返し端縁部寄りの位置にある請求項１又は２に記載のウエットシート収容体。
【請求項５】
前記第２折り返し部の位置は、該折り返し端縁部に直交して延びる中央線からずれた位置である請求項１〜４のいずれか１項に記載のウエットシート収容体。
【請求項６】
前記包装体には、切り込み部が設けられており、前記切り込み部は、密封された前記折畳シートにおける前記折り返し端縁部近傍の位置に形成されている請求項１〜５の何れか１項に記載のウエットシート収容体。
【請求項７】
前記折り畳みシートの液剤は、保湿剤、増粘剤、被膜形成剤から選ばれる１又は２のシート密着性成分を含有する請求項１〜６の何れか１項に記載のウエットシート収容体。
【発明の詳細な説明】
【技術分野】
【０００１】
本発明は、液剤が含浸されて折り畳まれた折畳シートを包装体に密封したウエットシート収容体に関する。
【背景技術】
【０００２】
従来より、化粧料、洗浄剤、或いは清拭剤等の薬液が含浸された不織布等からなるシートを、折り畳んで、複数枚が包装体内に収納したウエットシート収容体が知られている。
例えば、特許文献１〜５には、折り畳まれたシートが、使用時に包装体内から取り出された際に、広げ易いように工夫したウエットシート収容体が記載されている。
【先行技術文献】
【特許文献】
【０００３】
【特許文献１】特開２０１２−１５２４７３号公報
【特許文献２】特開２００７−２４４５６８号公報
【特許文献３】特開２００２−１１９４３６号公報
【特許文献４】特開２０１１−２０６４２１号公報
【特許文献５】特開２０００−２５６１１７号公報
【発明の概要】
【発明が解決しようとする課題】
【０００４】
しかし、特許文献１に記載の折り畳まれたシートは、取り出す際に摘む摘み部が、折り畳まれたシートの厚み方向中央側に配されているので、摘み難く取り出し難かった。次に、特許文献２に記載の折り畳まれたシートは、折り畳む前のシートの両端部が重なった重なり部分が、折り畳まれたシートの厚み方向中央側に配されているので、折り畳む前の１枚のシートに戻すのに手間が掛かるものであった。次に、特許文献３〜５に記載の折り畳まれたシートは、折り畳む前のシートに比べて、面積が１／４にも折り畳まれていないので、コンパクト性に欠けるものであった。
【０００５】
従って、本発明は、上記課題を解消し得る折り畳まれた折畳シートを包装体に密封したウエットシート収容体に関する。
【課題を解決するための手段】
【０００６】
本発明は、液剤が含浸されて折り畳まれた折畳シートを、少なくとも１枚、包装体内に密封したウエットシート収容体であって、前記折畳シートは、１枚の矩形形状のシートからなり、該シートにおける一方の一対の端縁どうしが重なるように該一対の端縁どうし間の略中央位置にて折り返した折り返し端縁部と、前記端縁どうしが重なる重なり端縁部とを有し、更に、少なくとも１つの該折り返し端縁部及び前記重なり端縁部の間の該折り返し端縁部に平行な第１折り返し部と、前記折り返し端縁部に直交する方向の第２折り返し部とを備えており、前記折畳シートは、平面視して、前記重なり端縁部が前記折り返し端縁部よりも外方に位置しており、該折畳シートの平面視の面積が、前記１枚のシートの面積の１６．５％以下であるウエットシート収容体を提供するものである。
【０００７】
また、本発明は、液剤が含浸されて折り畳まれた折畳シートを、少なくとも１枚、包装体内に密封したウエットシート収容体であって、前記折畳シートは、１枚の矩形形状のシートからなり、該シートにおける一方の一対の端縁どうしが重なるように該一対の端縁どうし間の略中央位置にて折り返して、折り返し端縁部及び前記端縁どうしが重なる重なり端縁部を有する矩形形状の２つ折りシートを形成し、更に、該折り返し端縁部を該２つ折りシートにおける該折り返し端縁部に平行に少なくとも１回折り返して第１折り返し部を形成し、その後、前記折り返し端縁部に直交する方向に折り返して第２折り返し部を形成してなり、前記折畳シートは、平面視して、前記重なり端縁部が前記折り返し端縁部よりも外方に位置するように折り畳まれて、該折畳シートの平面視の面積が、前記１枚のシートの面積の１６．５％以下に形成されているウエットシート収容体を提供するものである。
【発明の効果】
【０００８】
本発明のウエットシート収容体によれば、液剤が含浸されている折り畳まれた折畳シートがコンパクトであるにも拘わらず、取り出す際に摘む摘み部が摘み易く、折り畳む前の１枚のシートに戻し易い。また、手で触る部分が少ないにも拘わらず、折り畳む前の１枚のシートに戻し易い。
【図面の簡単な説明】
【０００９】
【図１】図１は、本発明の実施形態のウエットシート収容体を、該ウエットシート収容体に収納した折畳シートを透視した状態で示す斜視図である。
【図２】図２は、１枚のシートを折り畳んで図１に示す折畳シートを形成する工程を説明する図である。
【図３】図３は、図２（ｄ）のＩ−Ｉ線断面図である。
【図４】図４は、図１に示すウエットシート収容体から折畳シートを取り出す手順を説明する図である。
【図５】図５は、図１に示すウエットシート収容体から取り出された折畳シートを元の１枚のシートの状態に広げる手順を説明する図である。
【発明を実施するための形態】
【００１０】
以下、本発明のウエットシート収容体を、その好ましい本実施形態に基づき、図１〜図５を参照しながら説明する。
本実施形態のウエットシート収容体１００（以下、単に「ウエットシート収容体１００」ともいう。）は、液剤が含浸されて折り畳まれた折畳シート１０を、少なくとも１枚、包装体２０内に密封したものである。本実施形態では、ウエットシート収容体１００は、図１に示すように、長方形状の扁平な包装体２０と、長方形状の折畳シート１０とを有している。尚、本実施形態では、長方形状の折畳シート１０は、１枚の矩形形状のシート１から形成されている。シート１の形状は、矩形形状であって、正方形であってもよいが、手の指に巻きつけて用いる場合は長方形であることが好ましい。
以下の説明においては、図１に示すように、ウエットシート収容体１００の長手方向をＹ方向、長手方向（Ｙ方向）に直交する水平方向である幅方向（短手方向）をＸ方向、長手方向（Ｙ方向）及び幅方向（Ｘ方向）からなる面方向に直交する方向である厚み方向をＺ方向として説明する。尚、ウエットシート収容体１００のＹ方向、Ｘ方向及びＺ方向は、それぞれ、包装体２０、折畳シート１０或いは折り畳まれる前のシート１（図２参照）のＹ方向、Ｘ方向及びＺ方向と同じ方向である。
【００１１】
包装体２０は、液剤が含浸された折畳シート１０を密封し、例えば携帯用のウエットシート収容体１００を形成するものである。包装体２０は、図１に示すように、折畳シート１０を収納する密閉空間を形成するように、例えば後述するフィルム材シート内に折畳シート１０を配した後、フィルム材シートのＸ方向の両端部を合わせてＹ方向の全域に亘ってシールし、好ましくは折畳シート１０のＸ方向（幅方向）の中央領域にてシールして筒状とし、Ｙ方向の両端部それぞれにＸ方向の全域に亘るシール部２０１，２０１を配して形成されている。包装袋２０は、折畳シート１０を収容する前の状態において、Ｙ方向の長さが７０ｍｍ〜２８０ｍｍ程度であり、Ｘ方向の長さが３０ｍｍ〜１２０ｍｍ程度のものである。シール部２０１の幅（Ｙ方向の長さ）は、５ｍｍ〜２０ｍｍ程度のものである。尚、包装体２０に設けられる切り欠き部２０２については、後で詳述する。
【００１２】
包装体２０は、例えばポリプロピレン樹脂、ポリエチレン樹脂といったポリオレフィン樹脂等からなる合成樹脂製のフィルム材シート、該合成樹脂製のフィルムとアルミニウム等の金属との積層体からなるフィルム材シート、或いは該合成樹脂製のフィルムにアルミニウム等の金属を蒸着したフィルム材シートを用いて形成されている。包装袋２０を形成した際の内面は、シール部２０１を形成する観点から、前記ポリオレフィン樹脂を主成分とするシーラント層から構成されていることが好ましい。シーラント層としてはポリエチレンが好ましく、低密度ポリエチレンがより好ましい。フィルム材シートは、その厚さが４０μｍ〜６０μｍ程度のものが好ましい。本発明の図１及び図７に示す包装体２０は、中間にアルミニウムの層を有し最内層がシーラント層である合成樹脂性の積層体からなり、厚さは４５〜５５μｍであり３方シールされて形成されている。
【００１３】
折畳シート１０は、１枚の矩形形状のシート１からなり、図２に示すように、シート１における一方の一対の端縁１ａ，ｂどうしが重なるように一対の端縁１ａ，１ｂどうし間の略中央位置ＣＬ１にて折り返した折り返し端縁部２と、端縁１ａ，１ｂどうしが重なる重なり端縁部３とを有し、更に、少なくとも１つの折り返し端縁部２及び重なり端縁部３の間の該折り返し端縁部２に平行な第１折り返し部２ｆ１と、折り返し端縁部２に直交する方向の第２折り返し部２ｆ２とを備えており、折畳シート１０は、平面視して、重なり端縁部３が折り返し端縁部２よりも外方に位置しており、該折畳シート１０の平面視の面積が、１枚のシート１の面積の１６．５％以下である。
【００１４】
言い換えれば、折畳シート１０は、１枚の矩形形状のシート１からなり、図２に示すように、該シート１における一方の一対の端縁１ａ，１ｂどうしが重なるように一対の端縁１ａ，１ｂどうし間の中央位置ＣＬ１にて折り返して、折り返し端縁部２及び端縁１ａ，１ｂどうしが重なる重なり端縁部３を有する矩形形状の２つ折りシート４を形成し、更に、折り返し端縁部２を２つ折りシート４における折り返し端縁部２に平行に少なくとも１回折り返して第１折り返し部を形成し、その後、折り返し端縁部２に直交する方向に折り返して第２折り返し部を形成してなる。以下、具体的に、本実施形態のウエットシート収容体１００の備える折畳シート１０について詳述する。
【００１５】
本実施形態では、折畳シート１０は、図２（ａ）に示すように、Ｙ方向に長い１枚の長方形状のシート１から形成されている。また、本実施形態では、折畳シート１０は、折り返し端縁部２を２つ折りシート４における折り返し端縁部２に平行に延びる中央線ＣＬ２よりも折り返し端縁部２寄りの位置Ｐ１にて、平行（Ｙ方向に平行）に折り返し、その後、折り返し端縁部２に直交する方向（Ｘ方向）に重なり端縁部３が内側になるように折り返して形成されている。
以下、シート１を折り畳んで折畳シート１０を形成する工程について図２を参照しながら説明する。
【００１６】
先ず、Ｙ方向に長い長方形状のシート１を用意する。長方形状のシート１は、Ｙ方向の長さが６０ｍｍ〜４００ｍｍ程度であり、Ｘ方向の長さが４０ｍｍ〜３００ｍｍ程度のものである。長方形状のシート１は、長手方向（Ｙ方向）に延びる一対の端縁１ａ，１ｂと、短手方向（Ｘ方向）に延びる一対の端縁１ｃ，１ｄとを有している。そして、図２（ａ）及び図２（ｂ）に示すように、長方形状のシート１における一方の長手方向（Ｙ方向）に延びる一対の端縁１ａ，１ｂどうしが重なるように、一対の端縁１ａ，１ｂどうし間の中央位置ＣＬ１（Ｙ方向に延びる二等分線の位置）にて折り返して、該シート１の折り返しにより形成される折り返し端縁部２と、一対の端縁１ａ，１ｂどうしが重なることにより形成される重なり端縁部３とを有するＹ方向に長い長方形状の２つ折りシート４を形成する。折り返し端縁部２及び重なり端縁部３は、それぞれ、Ｙ方向に平行に延びている。折り返し端縁部２は、図２（ｂ）に示すように、折り返して形成される第１縦折り線２１を含んで構成されている。なお、本発明において平行であるとは、折り返す際の誤差や機械の精度によるズレがあってもよく、目視で概ね平行であることをいい、例えば、上記の２つ折りシート４において、折り返し端縁部２及び重なり端縁部３が平行であるとは、両者の間の距離が平均値に対して８０％〜１２０％以内の範囲にあることをいう。
【００１７】
次いで、本実施形態では、図２（ｂ）に示すように、２つ折りシート４における折り返し端縁部２に平行に延びる中央線ＣＬ２（２つ折りシート４におけるＹ方向に延びる二等分線）よりも折り返し端縁部２寄りの位置Ｐ１にて、折り返し端縁部２を、重なり端縁部３の端縁１ａ側にＹ方向に平行に折り返し、図２（ｃ）に示すような、４層のシート部分を有するＹ方向に長い長方形状の４つ折りシート５を形成する。このように、本実施形態では、２つ折りシート４を、折り返し端縁部２に平行に１回折り返して第１折り返し部２ｆ１が形成されている。また、４つ折りシート５は、図２（ｃ）に示すように、Ｙ方向に延びる一対の端縁が、該シート１の折り返しにより形成される第２縦折り線２２と、重なり端縁部３の端縁とから形成されている。４つ折りシート５においては、折り返し端縁部２の第１縦折り線２１が、第２縦折り線２２と重なり端縁部３の端縁との間に配されている。重なり端縁部３の端縁と折り返し端縁部２の第１縦折り線２１との間隔Ｗ（Ｘ方向の長さ）は、手の指による摘まみやすさの観点と折り畳み後の面積を小さくすることとの両立の観点から、２ｍｍ以上であることが好ましく、３ｍｍ以上であることが好ましく、５０ｍｍ以下であることが好ましく、１５ｍｍ以下であることが好ましく、１０ｍｍ以下であることが好ましい。なお、重なり端縁部３の端縁と折り返し端縁部２の第１縦折り線２１との間隔Ｗ（Ｘ方向の長さ）は、４つ折りシート５のＸ方向の幅である第２縦折り線２２と重なり端縁部３の端縁との間の長さに対して５０％未満であることが好ましく、４０％以下であることがより好ましく、３０％以下であることがさらに好ましい。
【００１８】
次いで、本実施形態では、図２（ｃ）に示すように、４つ折りシート５を、該４つ折りシート５における折り返し端縁部２に直交する方向（Ｘ方向）に延びる二等分線ＲＬの位置にて、重なり端縁部３が内側になるように、言い換えれば、折り返される重なり端縁部３，３どうしが直接接するように、折り返し、図２（ｄ）に示すようなＹ方向に長い長方形状の折畳シート１０を形成する。このように、本実施形態では、第１折り返し部２ｆ１が形成された４つ折りシート５を、折り返し端縁部２に直行する方向に折り返して第２折り返し部２ｆ２が形成されている。
【００１９】
折畳シート１０は、平面視して、重なり端縁部３が折り返し端縁部２よりも外方に位置するように折り畳まれて（図２（ｄ）及び図３参照）、折畳シート１０の平面視の面積が、１枚のシート１の面積の１６．５％以下に形成されている。詳述すると、折畳シート１０は、図２（ｄ）及び図３に示すように、８層のシート部分を有するＹ方向に長い長方形状の８つ折りシートである。折畳シート１０は、図２（ｄ）に示すように、Ｙ方向に延びる一対の端縁１０ａ，１０ｂを有している。一方の端縁１０ａは、図３に示すように、第２縦折り線２２を２つ折り返して形成されるＺ方向上方側の第２縦折り線２２ｕとＺ方向下方側の第２縦折り線２２ｄとからなる。また他方の端縁１０ｂは、図３に示すように、重なり端縁部３の端縁を２つ折り返して形成されるＺ方向上方側の重なり端縁部３ｕの端縁及びＺ方向下方側の重なり端縁部３ｄの端縁とから形成されている。
【００２０】
そして、折畳シート１０においては、図３に示すように、折り返し端縁部２の第１縦折り線２１を２つ折り返して形成されるＺ方向上方側の折り返し端縁部２ｕの端縁２１ｕが、Ｚ方向上方側の第２縦折り線２２ｕとＺ方向上方側の重なり端縁部３ｕの端縁との間に配されており、折り返し端縁部２の第１縦折り線２１を２つ折り返して形成されるＺ方向下方側の折り返し端縁部２ｄの端縁２１ｄが、Ｚ方向下方側の第２縦折り線２２ｄとＺ方向下方側の重なり端縁部３ｄの端縁との間に配されている。即ち、折畳シート１０は、Ｚ方向上方側から平面視して、Ｚ方向上方側の重なり端縁部３ｕの端縁が、Ｚ方向上方側の折り返し端縁部２ｕの端縁２１ｕよりもＸ方向外方に位置するように折り畳まれており、Ｚ方向下方側から平面視して、Ｚ方向下方側の重なり端縁部３ｄの端縁が、Ｚ方向下方側の折り返し端縁部２ｄの端縁２１ｄよりもＸ方向外方に位置するように折り畳まれて形成されている。このように、折畳シート１０は、図３に示すように、Ｚ方向上方側の表面に、折り返し端縁部２ｕの端縁２１ｕによる段差を有し、Ｚ方向下方側の表面に、折り返し端縁部２ｄの端縁２１ｄによる段差を有している。
【００２１】
以上のように折り畳まれた折畳シート１０は、第１折り返し部２ｆ１が折り返し端縁部２寄りの位置にあり、Ｙ方向の長さが３０ｍｍ〜２００ｍｍ程度であり、Ｘ方向の長さが１５ｍｍ〜１００ｍｍ程度のものである。また、折畳シート１０の表面積（折畳シート１０をＺ方向上方側或いはＺ方向下方側から平面視した際の面積）は、１枚のシート１の面積の１６．５％以下であり、該シート１の面積の１３％以上１６．５％以下であることが好ましく、該シート１の面積の１３．５％以上１６％以下であることが更に好ましい。具体的に、１枚のシート１の面積は、３０ｃｍ2以上１２００ｃｍ2以下であることが好ましく、２００ｃｍ2以上４５０ｃｍ2以下であることが更に好ましい。折畳シート１０の平面視の面積は、４.５ｃｍ2以上２００ｃｍ2以下であることが好ましく、２７ｃｍ2以上７０ｃｍ2以下であることが更に好ましい。
【００２２】
折畳シート１０を形成するシート１としては、各種織布、不織布、編布、それらの複合体などを用いることができ、液体の保持性能や製造経費を考慮すると、各種不織布を用いることが好ましい。不織布を用いる場合には、例えば、乾式スパンレース不織布、湿式スパンレース不織布、エアレイド不織布、エアスルー不織布、メルトブローン不織布、スパンボンド不織布などの各種不織布を用いることができる。また、これらの不織布は親水性の繊維を用いることが好ましく、コットン、パルプ、セルロース等の天然のセルロース材料、レーヨン等の合成樹脂繊維を用いることが好ましく、これらの繊維に、ポリエチレン、ポリエチレンテレフタレート、ポリエステル、ナイロン、ポリプロピレンから選ばれる合成樹脂繊維を必要に応じて併用してもよい。用いる不織布の目付は、２０ｇ／ｍ2〜９０ｇ／ｍ2であることが好ましい。
【００２３】
折畳シート１０或いは折り畳まれる前のシート１に含浸する液剤は、ウエットシート収容体１００の使用用途に応じて各種選択できる。ウエットシート収容体１００の使用用途としては、除菌用、歯磨き用、洗顔用、メイク落とし用、おしぼり用、体拭き用等が挙げられる。尚、含浸する液剤の具体例に関しては、後の段落で詳述する。本発明の折畳シート１０に含浸させる液剤に、シートの保湿性、使用時の滑りや、なめらかな使用感を向上する観点から、保湿剤、増粘剤、被膜形成剤などを含有することが好ましい。これらの保湿剤、増粘剤、被膜形成剤は、重ねられたシートが密着して広げにくい密着性成分であり、本発明の折畳シート１０は、密着性成分から選ばれる１又は２の成分を含有する場合に好適に用いることができる。
【００２４】
上記の保湿剤としては、ソルビトール、キシリトール、グリセリン、マルトース、エチレングリコール、プロピレングリコール、１，３-ブチレングリコール、ポリエチレングリコールから選ばれる１種又は２種以上の多価アルコール、トレハロース、パラチノース、ラフィノースから選ばれる１種又は２種以上の糖を用いることが好ましく、歯磨き用に用いる場合には、ソルビトール、キシリトール、グリセリン、プロピレングリコール、ポリエチレングリコールから選ばれる１種又は２種以上を用いることが好ましい。上記の増粘剤としては、キサンタンガム、カラギーナン、アルギン酸ナトリウム、カルボキシメチルセルロースナトリウム、ポリアクリル酸ナトリウムから選ばれる１種または２種以上を用いることが好ましい。
【００２５】
上記被膜形成剤としては、ポリビニルピロリドン、ポリビニルアルコール、ヒドロキシエチルセルロース、ヒドロキシプロピルセルロース、寒天、ペクチン、ゼラチン、グアーガム、アラビアゴム、カラヤガム、トラガントタム、タマリンドガム、ジェラガム、デンプン、プルランから選ばれる１種又は２種以上が好ましく、歯磨き用に用いる場合には、ヒドロキシエチルセルロース、ヒドロキシプロピルセルロース、プルランがより好ましい。
【００２６】
例えばウエットシート収容体１００Ａは、折畳シート１０Ａ或いは折り畳まれる前のシート１に含浸させる液剤に、各種有効成分（薬効成分）を含有することができる。有効成分としては、アラントインクロルヒドロキシアルミニウム、ヒノキチオール、塩化リゾチーム、グリチルリチン酸及びその塩、塩化ナトリウム、トラネキサム酸、イプシロンアミノカプロン酸、酢酸dl−トコフェロール、アズレン、グリチルレチン酸、銅クロロフィリンナトリウム、グルコン酸銅等の銅化合物、乳酸アルミニウム、塩化ストロンチウム、硝酸カリウム、ベルベリン、ヒドロキサム酸及びその誘導体、トリポリリン酸ナトリウム、ゼオライト、デキストラナーゼ、ムタナーゼ、アミラーゼ、メトキシエチレン、無水マレイン酸共重合体、エピジヒドロコレステリン、ジヒドロコレステロール、クエン酸亜鉛、トウキ、オウバク、チョウジ、ローズマリー、オウゴン、ベニバナ等の抽出物、α−ビサボロール、クロルヘキシジン塩類、トリクロサン、トリクロロカルバニリド等が挙げられ、これらから選ばれる１種又は２種以上を含有することができる。また、液剤は、水を含有しており、水の含有量は液剤に対して６０〜９５質量％であることが好ましく、７０〜９０質量％であることがより好ましい。
折畳シート１０の液剤の含浸率は、液剤が含浸される前の折畳シート１０或いは折り畳まれる前のシート１の質量に対して、２００〜６００質量％であることが好ましく、３５０〜４５０質量％であることがさらに好ましい。
【００２７】
折畳シート１０或いは折り畳まれる前のシート１に含浸させる液剤の具体例としては、例えば表１に記載の液剤１〜液剤３が挙げられる。かかる液剤１〜液剤３を含浸させた折畳シート１０であっても、手で触る部分が少ないにも拘わらず、収納された折畳シート１０を折り畳む前の１枚のシートに戻し易い。なお、液剤１及び液剤２は、液体口腔用組成物であり、本発明の折畳シート１０は、歯磨きシートに好適に用いることができる。
【００２８】
【表１】
2014234219.tif 000003
【００２９】
ウエットシート収容体１００に密封される折畳シート１０の枚数は、ウエットシート収容体１００の使用用途に応じて変更でき、具体的には、１枚〜５０枚程度であり、１枚〜１５枚であることが好ましく、１枚〜５枚であることがより好ましく、１枚であることがさらに好ましい。例えばウエットシート収容体１００を歯磨き用に用いる場合には、衛生的な管理の観点から、図１に示す本実施形態のウエットシート収容体１００のように、液剤が含浸された折畳シート１０を１枚のみ、包装体２０内に密封していることが好ましい。このように形成されたウエットシート収容体１００は、Ｙ方向の長さが７０ｍｍ〜２８０ｍｍ程度であり、Ｘ方向の長さが３０ｍｍ〜１２０ｍｍ程度であり、Ｚ方向の長さ（厚み）が０．５ｍｍ〜５０ｍｍ程度のものであり、収容する枚数に応じて０．５ｍｍ〜１５ｍｍのものが好ましく、０．５ｍｍ〜２．５ｍｍのものが好ましい。
【００３０】
折畳シート１０を密封する包装体２０には、上述したように、Ｖ字状の切り欠き部２０２が設けられている。本実施形態のウエットシート収容体１００では、切り欠き部２０２は、図１に示すように、密封された折畳シート１０における折り返し端縁部２近傍の位置に形成されている。詳述すると、切り欠き部２０２は、その先端が、密封された折畳シート１０のＺ方向上方側の表面又はＺ方向下方側の表面における折り返し端縁部２ｕ，２ｄの端縁２１ｕ，２１ｄ近傍の位置に形成されている。
【００３１】
次に、以上のように形成された本実施形態のウエットシート収容体１００の使用方法及びウエットシート収容体１００を使用した際の作用効果について説明する。
【００３２】
例えば、先ず、図４（ａ）に示すように、左手でウエットシート収容体１００を持ち、図４（ｂ）に示すように、右手で包装体２０の切り欠き部２０２を利用して包装体２０を引き裂く。そして、図４（ｃ）に示すように、包装体２０から露出した折畳シート１０の折り返し端縁部２近傍、具体的には、折り返し端縁部２よりもＸ方向外方の重なり端縁部３を右手の親指と人差し指とで摘み、包装体２０内から折畳シート１０を引き出す。その際、切り欠き部２０２が折畳シート１０の折り返し端縁部２近傍の位置に配されているので、折畳シート１０における折り返し端縁部２ｕの端縁２１ｕによる段差及び折り返し端縁部２ｄの端縁２１ｄによる段差によって、引き裂いた開口部が開き易くなり、包装体２０内から折畳シート１０を引き出し易い。
【００３３】
次いで、図５（ａ）に示すように、右手の親指と人差し指とで摘んで引き出された折畳シート１０において、図５（ｂ）に示すように、Ｚ方向上方側の表面の折り返し端縁部２ｕを左手の親指と人差し指とで摘み、図５（ｃ）に示すように４つ折り状態に展開する。折り返し端縁部２ｕを左手の親指と人差し指とで摘む際、折畳シート１０のＺ方向上方側の表面に折り返し端縁部２ｕの端縁２１ｕによる段差があることにより、ウエットシート収容体１００の使用者が容易に折り返し端縁部２ｕを認識し易く、容易に折り返し端縁部２ｕを摘むことができる。
【００３４】
図５（ｃ）に示すように展開した後、右手及び右手を持ち替えて、図５（ｄ）に示すように、左手の親指と人差し指とで重なり端縁部３を形成する端縁１ａを摘み、右手の親指と人差し指とで重なり端縁部３を形成する端縁１ｂを摘む。その後、図５（ｅ）に示すように、左右に広げることにより、折り畳みが解除されて、元の１枚のシート１の状態に戻る。以上のように、本実施形態のウエットシート収容体１００は、液剤が含浸されており収納された折畳シート１０が元のシート１の面積の１６．５％以下とコンパクトであるにも拘わらず、取り出す際に摘む摘み部（表面の折り返し端縁部２）が摘み易く、収納された折畳シート１０を折り畳む前の１枚のシート１に戻し易い。また、元の１枚のシート１の状態に戻す際、重なり端縁部３、折り返し端縁部２及び重なり端縁部３を形成する端縁１ａ，１ｂ以外、手で触ることがない。このように本実施形態のウエットシート収容体１００は、手で触る部分が少ないにも拘わらず、収納された折畳シート１０を折り畳む前の１枚のシートに戻し易い。
【００３５】
このように元の１枚のシート１の状態に戻されたウエットシートは、例えばウエットシート収容体１００を歯磨き用に用いる場合、該ウエットシートで例えば右手の人差し指を覆うように配することにより、口腔内の歯を磨くのに利用できる。また、例えばウエットシート収容体１００を歯磨き用に用いる場合、液剤が含浸された折畳シート１０が１枚のみの使い切りであれば、衛生上問題なく使用することができる。
【００３６】
以上、本発明をその好ましい実施形態に基づき説明したが、本発明は上述した実施形態に制限されず適宜変更可能である。
例えば、ウエットシート収容体１００に収納された折畳シート１０は、シート１を折り畳んで折畳シート１０を形成する工程において、図２（ｃ）に示すように、４つ折りシート５をＸ方向に延びる二等分線ＲＬの位置にて折り返して形成されているが、折り返し端縁部２に直交する方向（Ｘ方向）に折り返す位置は、折り返し端縁部２に直交して延びる中央線（Ｘ方向に延びる二等分線ＲＬ）からずれた位置であってもよい。このようにずれた位置で折り返されて折畳シート１０が形成されると、折畳シート１０に更に段差が付き、元の１枚のシート１の状態に戻し易い。折畳シート１０におけるＺ方向上方側の表面に段差ができると、特に前記効果を奏する。
【００３７】
また、ウエットシート収容体１００に収納された折畳シート１０は、図２（ｂ）に示すように、２つ折りシート４の折り返し端縁部２を折り返し端縁部２に平行に延びる中央線ＣＬ２よりも折り返し端縁部２寄りの位置Ｐ１にて平行（Ｙ方向に平行）に１回折り返して第１折り返し部２ｆ１を形成し、その後、図２（ｃ）に示すように、折り返し端縁部２に直交する方向（Ｘ方向）に重なり端縁部３が内側になるように折り返して第２折り返し部２ｆ２を形成してなるが、折畳シート１０を平面視して、重なり端縁部３が折り返し端縁部２よりもＸ方向外方に位置するように折り畳まれていれば、第１折り返し部２ｆ１は、２つ折りシート４の折り返し端縁部２を中央線ＣＬ２に平行（Ｙ方向に平行）に複数回折り返して形成されていてもよい。
【００３８】
また、ウエットシート収容体１００に収納された折畳シート１０は、図２（ａ）に示すように、Ｙ方向に長い長方形状の矩形形状のシート１を折り畳んで形成されているが、正方形状の矩形形状のシートを折り畳んで形成してもよい。また、折畳シート１０は、図２（ａ）及び図２（ｂ）に示すように、長手方向（Ｙ方向）に延びる一対の端縁１ａ，１ｂを基準に先ず折ってから折り畳んで形成されているが、短手方向（Ｘ方向）に延びる一対の端縁１ｃ，１ｄを基準に先ず折ってから上述した手順により折り畳んで形成されていてもよい。
【符号の説明】
【００３９】
１００  ウエットシート収容体
１０  折畳シート
１０ａ，１０ｂ  折畳シートの端縁
１  折り畳まれる前のシート
１ａ，１ｂ  折り畳まれる前のシートの端縁
２  折り返し端縁部
２ｕ  上方側の折り返し端縁部
２ｄ  下方側の折り返し端縁部
２１  第１縦折り線
２１ｕ  上方側の第１縦折り線
２１ｄ  下方側の第１縦折り線
２２  第２縦折り線
２２ｕ  上方側の第２縦折り線
２２ｄ  下方側の第２縦折り線
２ｆ１  第１折り返し部
２ｆ２  第２折り返し部
３  重なり端縁部
３ｕ  上方側の重なり端縁部
３ｄ  下方側の重なり端縁部
４  ２つ折りシート
５  ４つ折りシート
２０  包装袋
２０１  シール部
２０２  切り欠き部
【図１】
2014234219.tif 000004
【図２】
2014234219.tif 000005
【図３】
2014234219.tif 000006
【図４】
2014234219.tif 000007
【図５】
2014234219.tif 000008